(57)【特許請求の範囲】
【請求項１】
天井板に設けられる取付け用開口部に挿入され、かつ補助取付け手段を介して天井板に取付け固定される排気枠と、
換気扇を備え、上記排気枠内に挿入することにより排気枠に掛止される本体枠とを具備し、
上記補助取付け手段は、
上記排気枠に設けられる掛合用長孔と、
上記排気枠に掛止され、排気枠の掛合用長孔に対向する掛合用長孔を備えた第１の補助取付け用具と、
上端部に設けられ第１の補助取付け用具の掛合用長孔と排気枠の掛合用長孔に挿入しかつ掛止される掛止部と、中間部に設けられ各掛合用長孔を挿通して排気枠内部に突出する掛止片部および、この掛止片部の先端に設けられ上記各掛合用長孔からの掛止片部の抜け止めをなすストッパ片部と、下端部に設けられ上記天井板上に載る受け片部とを備え、排気枠を天井板に取付け固定する第２の補助取付け用具と、
を具備したことを特徴とする換気扇取付け装置。
【請求項２】
上記本体枠の側面部に、上記排気枠への挿入時に、排気枠の側面部内面に当接するリブを設けたことを特徴とする請求項１記載の換気扇取付け装置。
【請求項３】
上記排気枠と第１の補助取付け用具に設けられる掛合用長孔は、その上部から下部に向かって幅寸法が漸次広く形成されることを特徴とする請求項１記載の換気扇取付け装置。
【請求項４】
上記排気枠と第１の補助取付け用具に設けられる掛合用長孔は、左右に並んで一対、上下方向に亘って設けられるとともに、その上部のみ下部よりも幅寸法が広く形成され、
この掛合用長孔の上部から挿入される第２の補助取付け用具の掛止片部は、左右に一対設けられるとともに、その挿入側端部に、掛合用長孔上部の幅寸法よりも狭い幅寸法で、かつ掛合用長孔上部の相互間隔寸法よりも広い間隔寸法の折曲片部が設けられることを特徴とする請求項１記載の換気扇取付け装置。
【請求項５】
上記第１の補助取付け用具は、その上端に外方へ折曲形成される引掛け爪を備え、上記第２の補助取付け用具は、排気枠を天井板取付け用開口部へ挿入する際に、上記引掛け爪に掛止される当接片部を備えたことを特徴とする請求項１記載の換気扇取付け装置。
【請求項６】
上記第１の補助取付け用具は、排気枠に掛止された状態で排気枠の内側に突出する爪部を備え、
上記本体枠は、排気枠内に挿入された状態で上記爪部に掛止される突起部を備えたことを特徴とする請求項１記載の換気扇取付け装置。
【請求項７】
上記排気枠は、上記第１の補助取付け用具に設けられる爪部を支持し、かつ本体枠の挿入の際に上記突起部をガイドするテーパ状のリブを備えたことを特徴とする請求項６記載の換気扇取付け装置。
【発明の詳細な説明】
【０００１】
【発明の属する技術分野】
本発明は、たとえば天井板に換気扇を取付ける換気扇取付け装置に関する。
【０００２】
【従来の技術】
従来、たとえば図１２に示すような換気扇取付け装置が用いられる。これは、下面が開口する箱体からなっていて、その上面部に換気扇１が取付けられる本体枠ａと、この本体枠ａの一側部に設けられる孔部に対向して排気口体２を備え、上端部が本体枠ａ上端に引掛けられる引掛け部３を有し、本体枠の側面に密着する排気板ｂとから構成される。
【０００３】
上記本体枠ａは、天井板４に設けられる取付け用開口部５に挿入され、この下端開口部周縁に沿って一体に設けられるフランジ部６が天井板４の取付け用開口部５周辺に対向する。一方、排気板ｂの下端部に沿って折曲フランジ部７が設けられ、天井板４と本体枠フランジ部６との間に介在される。
【０００４】
本体枠フランジ部６と排気板折曲フランジ部７とに互いに連通する取付け用孔８が設けられていて、室内側から木ねじなどの取付け具９が挿入され、かつ天井板４の木枠４ａなどに挿着されることにより、本体枠ａとともに排気板ｂが天井板４に取付けられる。
【０００５】
なお、本体枠ａ内には換気扇１に対向して風向案内板１０が取付けられ、かつ下面開口部には図示しないフィルタおよび化粧板が着脱自在に取付けられて、下面開口部を閉塞する。一方、排気板ｂの排気口体２には図示しないダクトの端部が接続されていて、換気扇１を駆動することによって本体枠ａ内に吸込んだ室内空気を、室外へ排気案内する。
【０００６】
【発明が解決しようとする課題】
このようにして、換気扇１の作用自体何らの問題もないが、換気扇取付け装置の天井板４に対する取付け作業については、以下のような問題がある。
すなわち、予め排気板ｂの引掛け部３を本体枠ａ上端に引掛けた状態にして、これらを天井板４の取付け用開口部５に挿入する。このとき、排気口体２が開口部５周縁に当接しないように、本体枠ａを傾けて挿入することは勿論である。
【０００７】
排気板ｂの折曲フランジ部７と本体枠ａのフランジ部６が天井板４に当接したら、作業者は片手で本体枠ａを押し上げて仮保持し、片手で取付け具９を取付け用孔８に挿入し、かつドライバなどの工具を用いて取付け具９を天井板４に対して締結固定する。
【０００８】
したがって、作業者は片手で工具を使いながら、片手で本体枠ａの位置がずれないように仮保持しなければならず、極めて作業し難いという問題（欠点）があった。
【０００９】
本発明は、上記事情を考慮してなされたものであり、その目的とするところは、天井板に対する換気扇の取付け作業の容易化を図り、安定した取付けを可能とした換気扇取付け装置を提供しようとするものである。
【００１０】
【課題を解決するための手段】
本発明の換気扇取付け装置は上記目的を満足するためになされたものであり、天井板に設けられる取付け用開口部に挿入されかつ補助取付け手段を介して天井板に取付け固定される排気枠と、換気扇を備え排気枠内に挿入することにより排気枠に掛止される本体枠とを具備し、上記補助取付け手段は、排気枠に設けられる掛合用長孔と、排気枠に掛止され排気枠の掛合用長孔に対向する掛合用長孔を備えた第１の補助取付け用具と、上端部に設けられ第１の補助取付け用具の掛合用長孔と排気枠の掛合用長孔に挿入しかつ掛止される掛止部と、中間部に設けられ各掛合用長孔を挿通して排気枠内部に突出する掛止片部および掛止片部の先端に設けられ各掛合用長孔からの掛止片部の抜け止めをなすストッパ片部と、下端部に設けられ天井板上に載る受け片部とを備え排気枠を天井板に取付け固定する第２の補助取付け用具とを具備した。
【００１１】
さらに、本体枠の側面部に、排気枠への挿入時に排気枠の側面部内面に当接するリブを設けた。
【００１４】
さらに、排気枠と第１の補助取付け用具に設けられる掛合用長孔は、その上部から下部に向かって幅寸法が漸次広く形成される。
【００１５】
さらに、排気枠と第１の補助取付け用具に設けられる掛合用長孔は、左右に並んで一対上下方向に亘って設けられるとともに、その上部のみ下部よりも幅寸法が広く形成され、この掛合用長孔の上部から挿入される第２の補助取付け用具の掛止片部は、左右に一対設けられるとともに、その挿入側端部に掛合用長孔上部の幅寸法よりも狭い幅寸法で、かつ掛合用長孔上部の相互間隔寸法よりも広い間隔寸法の折曲片部が設けられる。
【００１６】
さらに、第１の補助取付け用具は、その上端に外方へ折曲形成される引掛け爪を備え、第２の補助取付け用具は、排気枠を天井板取付け用開口部へ挿入する際に引掛け爪に掛止される当接片部を備えた。
【００１７】
さらに、第１の補助取付け用具は排気枠に掛止された状態で排気枠の内側に突出する爪部を備え、本体枠は排気枠内に挿入された状態で上記爪部に掛止される突起部を備えた。
【００１８】
さらに、排気枠は、第１の補助取付け用具に設けられる爪部を支持し、かつ本体枠の挿入の際に突起部をガイドするテーパ状のリブを備えた。
【００２０】
上述の課題を解決する手段を採用することにより、作業者が換気扇を天井板に取付けるにあたって、作業者は両手を用いて同じ作業を順次行うことで、必然的に換気扇の取付けができ、取付け作業性の容易化を図り、安定した取付けを可能となす。
【００２１】
【発明の実施の形態】
以下、本発明の実施の形態を図面を参照して説明する。
図１ないし図３に、本発明の第１の実施の形態を示す。図１は換気扇取付け装置の断面図、図２は換気扇取付け装置を分解した図、図３は取付け途中の状態を示す。
【００２２】
換気扇取付け装置は、本体枠１１と、排気枠２０および、補助取付け手段を構成する第１の補助取付け用具３０と、第２の補助取付け具４０とを備えている。以下、各構成部品を順次説明する。
【００２３】
上記本体枠１１は、下面が開口する箱体であり、その上面部に換気扇１が取付けられ、かつ換気扇に対向する本体枠１１内に風向案内板１０が取付けられる。下端開口部には、図示しないフィルタおよび化粧板が着脱自在に取付けられて開口部を閉塞し、かつ下端開口部周縁に沿って一体に設けられるフランジ部６が天井板４の取付け用開口部５の周縁に対向する。
【００２４】
特に図２に示すように、本体枠１１の相対向する側面部１１ａのほぼ中央部に、垂直方向に亘って所定幅の凹陥部１２が設けられている。さらに、凹陥部１２の一側下端に近接した位置に三角状に折曲された突起部１３が突出する。ここでは、本体枠１１に孔部１４が設けられ、この孔部から別部材の板片１５に設けられる突起部１３が突出している。
【００２５】
上記排気枠２０は、下端部とともに上端部が開口する枠体であり、上記本体枠１１の内側に嵌り込む寸法形状をなす。下端開口部周縁に沿ってフランジ部２１が設けられ、組立てられた状態で天井板４の板面に密着し、これに本体枠１１のフランジ部６が密着して室内から遮蔽する。なお、本体枠１１と排気枠２０のいずれのフランジ部６，２１においても、従来のような取付け具を挿通するための取付け用孔を設ける必要がない。
【００２６】
排気枠２０の一側部に排気口体２が設けられていて、組立てられた状態で本体枠１１の側面部１１ｂに設けられる排気孔１１Ｃに対向する。この排気口体２が設けられる側面部２０ａとは直交する方向の両側面部２０ｂに、上記第１の補助取付け用具３０と第２の補助取付け用具４０とが重なって取付けられる。
【００２７】
さらに、排気枠２０の側面部２０ｂで上記第１，第２の補助取付け用具３０，４０の取付部位近傍の上端は、これら用具が取付けられる上端よりも極端に低い段状に形成され、その一部に引掛け用凹部２２が設けられる。この引掛け用凹部２２は、組立てられた状態で本体枠２０の突起部１３を掛止する位置にある。
【００２８】
このようにして、第１，第２の補助取付け用具３０，４０が取付けられる排気枠２０の側面部２０ｂは、本体枠１１の凹陥部１２が設けられる側面部２０ｂと対向して組立てられる。
【００２９】
第１の補助取付け用具３０は、本体枠凹陥部１２の幅寸法よりも狭い幅寸法に形成され、組立てられた状態で凹陥部内に位置する。この上端部は断面鍵状の折曲部３１となっていて、上記排気枠２０の段状に形成される上端部に引掛けられる。下端部はＬ字状に折曲される爪部３２となっていて、排気枠側面部２０ｂに設けられる矩形状の孔部３３に挿入される。
【００３０】
第１の補助取付け用具３０が取付けられる排気枠側面部２０ｂに、上下方向に亘って、かつ左右に並んで一対の掛合用長孔２３が設けられていて、これら掛合用長孔と対向する寸法形状の掛合用長孔３４が第１の補助取付け用具３０に設けられる。
【００３１】
第２の補助取付け用具４０は、その上端に第１の補助取付け用具３０と排気枠２０の掛合用長孔２３，３４に挿入し掛止する一対の尖鋭状の掛止部４１が設けられる。これら掛止部４１相互間は掛合用長孔３４相互間に当接する当接片部４２となっている。
【００３２】
上記第２の補助取付け用具４０の下端部は、斜め手前側に折曲される受け片部４３となっていて、この受け片部と上記掛止部４１との間の中間部には、上記第１の補助取付け用具３０と排気枠２０の掛合用長孔２３，３４に挿通する掛止片部４４が折曲形成される。
【００３３】
すなわち、第２の補助取付け用具４０は、組立てられた状態で掛止片部４４が各掛合用長孔２３，３４に挿通し、その先端が排気枠２０内側へ突出する。この突出側端部に、図３のみに示す、切起し加工によるストッパ片部４５が設けられていて、掛止片部４４の掛合用長孔２３，３４からの抜け止めをなす。
【００３４】
しかも、上述したように、第１の補助取付け用具３０の位置は本体枠１１の凹陥部１２と対向していて、この第１の補助取付け用具に掛合用長孔３４が設けられ第２の補助取付け用具４０の掛止片部４４が突出しているところから、掛止片部４４は凹陥部１２内にあって、組立時および組立てられた状態で本体枠１１に対して接触しない。
【００３５】
つぎに、このようにして構成される換気扇取付け装置の天井板４に対する取付け作業について説明する。
はじめに、排気枠２０を用意し、この左右側面部に第１の補助取付け用具３０を取付ける。すなわち取付け用具３０の上端折曲部３１を排気枠２０上端に引掛け、この下端爪部３２を排気枠孔部３３に挿入すればよい。この状態で、第１の補助取付け用具３０の掛合用長孔３４が排気枠２０の掛合用長孔２３に正しく対向する。
【００３６】
つぎに、第２の補助取付け用具４０の掛止片部４４を各掛合用長孔２３，３４に挿通し、先端を排気枠２０内側へ突出させる。なお、このときストッパ片部４５を掛止片部４４面から起こさずにしておき、挿通したあと起こすことにより、掛止片部４４が円滑に掛合用長孔２３，３４に挿通する。
【００３７】
上記排気枠２０に第１の補助取付け用具３０と第２の補助取付け用具４０を取付けたあと、この排気枠２０を天井板４の取付け用開口部５に対向し、かつ排気枠上端部から取付け用開口部に挿入する。
【００３８】
ただし、第２の補助取付け用具４０の掛止片部４４は最大限、排気枠２０内へ突出するよう引張っておく。したがって、第２の補助取付け用具４０は、その上端から受け片部４３上端部までが第１の補助取付け用具３０を介して排気枠２０にほとんど密着状態になり、わずかに受け片部４３のみが斜めに突出する。
【００３９】
排気枠２０をそのまま垂直に押し上げると、天井板４の取付け用開口部５周縁に排気口体２が接触して通過の障害になるが、ある程度排気枠を所定方向に傾けながら押し上げれば、支障なく排気口体２が開口部５を通過することは、従来のものと同様である。
【００４０】
排気枠２０の下端フランジ部２１が天井板４に当接したら、排気枠２０の内部に手を挿入して第２の補助取付け用具４０のストッパ片部４５を起こしてから、掛止片部４４の先端を外側へ押す。ストッパ片部４５が排気枠２０の内側面に当接して、それ以上の掛止片部４４の飛び出しを規制する。結局、第２の補助取付け用具４０は斜め姿勢になる。
【００４１】
なお、この作業は作業者が片手で排気枠２０を保持し、片手でストッパ片部４５の起しと掛止片部４４先端の外側への押しをなす必要があるが、従来のような工具を用いる作業と比較してごく簡単であり、作業性を損なうことがない。
【００４２】
以上の作業を終えたら、作業者は排気枠２０および第２の補助取付け用具４０から手を離してもよい。排気枠２０自体の重量で一旦は落下するが、第２の補助取付け用具４０が斜め姿勢となって受け片部４３が外方へ突出しているので、この受け片部端が天井板４上に載り、しかも上端掛止部４１が各掛合用長孔３４，２３に食い込む。
【００４３】
すなわち、第２の補助取付け用具４０が直接的に排気枠２０の落下を規制するので、落下量はごくわずかである。排気枠２０のフランジ部２１と第２の補助取付け用具４０の受け片部４３との間に天井板４を介在させた状態で、排気枠２０の取付けがなされる。
【００４４】
ただし、第２の補助取付け用具４０の受け片部４３が外方へ突出しているので、取付け用開口部５周縁に引掛かり、ほとんど強制的に排気枠２０を挿入する。そのため特に図３に示すように、排気枠２０の両側面部２０ｂが弾性変形して上部から内側に倒れる傾向にある。
【００４５】
つぎに、排気枠２０に対して換気扇１などを取付けた本体枠１１を下方から挿入する。排気枠両側面部２０ｂが内側に倒れているので、本体枠１１も強制的に挿入することになり、排気枠両側面部２０ｂを外方へ押し広げる。本体枠１１を取付けた状態で、第２の補助取付け用具４０の下端受け片部４３と上端掛止部４１が排気枠２０をより強固に取付けることとなる。
【００４６】
本体枠１１のフランジ部６が排気枠３０のフランジ部２１を完全に覆い、かつ天井板４に当接する位置で、この突起部１３が排気枠２０の引掛け用凹部２２に掛合する。したがって、作業者は本体枠１１から手を離しても落下はない。
【００４７】
このようにして、換気扇取付け装置の天井板４に対する取付け作業が全て終了する。結局、換気扇取付け装置を取付けるのに木枠を組む必要がなく、かつ木ねじなどの取付け具やドライバなどの工具なしで簡単に施工でき、しかも、より強固な取付けとなる。
【００４８】
図４は、第２の実施の形態を示していて、先に説明した第１の実施の形態と同一部分には同一符号を付して説明を省略し、異なる部分についてのみ説明する。（以下、同様）
本体枠１１Ａに設けられる凹陥部１２の両側を、薄板状のリブ１６としていることが特徴である。この場合、先に天井板４に取付けた排気枠２０に対してより強固に本体枠１１Ａを取付けることができる。
【００４９】
そして、排気枠２０に当接する本体枠１１Ａ部分がリブ１６であるため、本体枠の形状に制約がなくなって、性能を保持するケーシング形状にでき、安価で軽量化を図れることとなる。
【００５０】
図５は、第３の実施の形態を示す。本体枠１１Ｂにリブ１６Ａを設けたことは、先に説明したものと同様であるが、ここでのリブは上端から下方に向かって斜めに切欠され、下部側が広くなっている。
【００５１】
したがって、先に天井板４に取付けた排気枠２０に対して本体枠１１Ｂを挿入する際に、図３に示すように排気枠２０の両側面部２０ｂが内側に倒れた状態になっていても、リブ１６Ａの形状限定によりスムーズに排気枠に挿入できる。
【００５２】
図６は、第４の実施の形態を示す。本体枠１１Ｂの側面部に上端が斜めに切欠されたリブ１６Ａを設けることは先に説明したものと同様であるが、このリブの位置を排気枠２０を介して第１の補助取付け用具３０の取付け位置に設定する。ただし、掛合用長孔２３から第２の補助取付け用具４０の掛止片部４４が突出しているので、この位置は避ける。
【００５３】
上記本体枠１１Ｂにおけるリブ１６Ａの位置設定により、既に天井板４に取付けられる排気枠２０に対して本体枠１１Ｂを挿入する際に、リブ１６Ａが排気枠２０を確実に押し広げて、より強固な取付けができる。
【００５４】
図７は、第５の実施の形態を示す。ここでは、第１の補助取付け用具３０Ａおよび図示しない排気枠２０に設けられる掛合用長孔３４Ａに特徴がある。すなわち、掛合用長孔３４Ａは第１の補助取付け用具３０Ａの上部側から下部側に亘って、幅寸法が漸次大になるよう形成される。
【００５５】
したがって、第１，第２の補助取付け用具３０Ａ，４０を排気枠２０に取付けた状態で天井板４の取付け用開口部５に挿入したあと、第２の補助取付け用具４０の受け片部４３を天井板４の上面に当接するよう引き下げる際に、この取付け用具上端の掛止部４１が掛合用長孔３４Ａの両側縁に圧接状態で掛止される。
【００５６】
掛止部４１の掛合用長孔３４Ａに対する食い込み作用がより大きくなり、第２の補助取付け用具４０が上方向へ移動することを確実に防止して、より安定した固定をなす。
【００５７】
図８（Ａ）（Ｂ）は、第６の実施の形態を示す。図８（Ａ）に示す第１の補助取付け用具３０Ｂおよび図示しない排気枠２０に設けられる掛合用長孔３４Ｂと、この掛合用長孔に挿入される図８（Ｂ）に示す、第２の補助取付け用具４０Ａの掛止片部４４Ａに特徴がある。
【００５８】
すなわち、一対の掛合用長孔３４Ｂの上部のみ、その下方部位と比較して互いに内側方向に突出するよう幅寸法が大に形成される。これら掛合用長孔３４Ｂ上部の幅寸法をＡとし、長孔相互間隔寸法をＢとする。
【００５９】
これに対して、第２の補助取付け用具４０Ａの掛止片部４４Ａ上端を、ここでは内側に対向するよう折曲形成しており、これら折曲片部４６の幅寸法をＡ’とし、折曲片部４６端縁相互間隔寸法をＢ’として、互いの寸法関係を、Ａ＞Ａ’、Ｂ＞Ｂ’に設定する。
【００６０】
以上の条件を備えているところから、第２の補助取付け用具４０Ａの掛止片部４４Ａを掛合用長孔３４Ｂに挿入する際に、掛止片部４４Ａ上端の折曲片部４６相互をある程度左右に押し広げ、Ｂ’からＢ以上の寸法にする。一旦、掛止片部４４Ａを掛合用長孔３４Ｂに挿入したあとは、折曲片部４６相互間隔寸法がもとのＢ’に戻る。
【００６１】
したがって、第２の補助取付け用具４０Ａを掛合用長孔３４Ｂに沿って移動するときに、折曲片部４６相互間が長孔上端の相互間寸法Ｂよりもはるかに広い部分を移動することになり、この取付け用具４０Ａの掛合用長孔３４Ｂからの抜け止めが確実になされて施工性が良い。
【００６２】
図９は、第７の実施の形態を示す。ここでは、第１の補助取付け用具３０Ｃにおいて掛合用長孔相互間で、かつ上部に切起し加工による引掛け爪３５が設けられ、第２の補助取付け用具４０Ｂの上端掛止部４１相互間の当接片部４２Ａが内側に折曲されている。
【００６３】
上記排気枠２０に第１の補助取付け用具３０Ｃを取付けたあと第２の補助取付け用具４０Ｂを取付けるのに、図のように第１の補助取付け用具４０Ｂの引掛け爪３５に第２の補助取付け用具４０Ｂの当接片部４２Ａを掛止する。
【００６４】
第２の補助取付け用具４０Ｂを第１の補助取付け用具３０Ｃに対して仮止めすることになり、排気枠２０を図示しない天井板４の取付け用開口部５に挿入する際に第２の補助取付け用具４０Ｂを手で支える必要がなく、単純に排気枠２０のみを挿入すればよいので施工性が良い。
【００６５】
図１０（Ａ）（Ｂ）は、第８の実施の形態を示す。はじめに、図１０（Ａ）から説明すると、本体枠１１の側面部１１ａに突出する突起部１３が、排気枠２０に取付けられる第１の補助取付け用具３０の下端爪部３３に直接載る位置と寸法の設定をなしたことが特徴である。
【００６６】
したがって、先に説明したように排気枠２０上端の引掛け用凹部２２の加工手間が不要となり、かつ本体枠１１の重量が突起部１３と爪部３２を介して第１の補助取付け用具３０にかかることになり、本体枠１１とともにこの取付け用具３０は排気枠２０に対して、より強固に取付けることとなる。
【００６７】
図１０（Ｂ）は、その変形例を示していて、本体枠１１の側面部１１ａに突出する突起部１３が、排気枠２０に取付けられる第１の補助取付け用具３０の下端爪部３２に載る位置と寸法の設定をなしているうえに、排気枠の上記爪部が挿入する孔部３３下縁に対向してテーパ状のリブ２５が設けられる。
【００６８】
したがって、本体枠１１を排気枠２０内に挿入するのに、排気枠に設けたリブ２５が本体枠１１の突起部１３に対するガイドとなる。なお説明すれば、排気枠２０に本体枠１１を挿入するとき、突起部１３がテーパ状のリブ２５に当接して徐々に本体枠１１内部に押し込められたあと突起部が爪部３２を乗り越える。そして、突起部１３は再び外方に突出し、爪部３２上に載って本体枠１１が支持される。このため、施工性がさらに向上する。
【００６９】
図１１は、第９の実施の形態を示す。ここでは第１の補助取付け用具３０Ｄと、図示しない排気枠２０に設けられる掛合用長孔３４Ｃの形状に特徴がある。すなわち、各掛合用長孔３４Ｃの両側縁は全長に亘ってノコギリ刃状に形成されている。
【００７０】
そのため、掛合用長孔３４Ｃに掛合される第２の補助取付け用具４０の受け片部４４を天井板４上面に当接するように引き下げた際、この取付け用具４０上端の掛止部４１が掛合用長孔３４Ｃのノコギリ刃状の両側縁に確実に食い込んで取付け用具の上方向への移動が防止され、より安定した固定をなす。
【００７１】
【発明の効果】
以上説明したように本発明によれば、天井板に対する換気扇の取付け作業の容易化を図って施工性に優れ、安定した取付けを可能とする効果がある。
【図面の簡単な説明】
【図１】本発明の第１の実施の形態を示す、換気扇取付け装置の断面図。
【図２】同実施の形態を示す、換気扇取付け装置の分解した斜視図。
【図３】同実施の形態を示す、組立途中の排気枠の断面図。
【図４】本発明の第２の実施の形態を示す、本体枠の斜視図。
【図５】本発明の第３の実施の形態を示す、本体枠の側面図。
【図６】本発明の第４の実施の形態を示す、組立途中の断面図。
【図７】本発明の第５の実施の形態を示す、第１，第２の補助取付け用具の斜視図。
【図８】本発明の第６の実施の形態を示す、第１の補助取付け用具の正面図と、第２の補助取付け用具の斜視図。
【図９】本発明の第７の実施の形態を示す、排気枠に取付けられる第１，第２の補助取付け用具の断面図。
【図１０】本発明の第８の実施の形態を示す、換気扇取付け装置の一部断面図と、組立途中の一部断面図。
【図１１】本発明の第９の実施の形態を示す、第１，第２の補助取付け用具の斜視図。
【図１２】従来の、換気扇取付け装置の断面図。
【符号の説明】
４…天井板、
５…取付け用開口部、
２０…排気枠、
２３…（排気枠の）掛合用長孔、
３４…（第１の補助取付け用具の）掛合用長孔、
３０…第１の補助取付け用具、
４１…掛止部、
４４…掛止片部、
４３…受け片部、
４０…第２の補助取付け用具。
【図１】
0004246877.tif 000002
【図２】
0004246877.tif 000003
【図３】
0004246877.tif 000004
【図４】
0004246877.tif 000005
【図５】
0004246877.tif 000006
【図６】
0004246877.tif 000007
【図７】
0004246877.tif 000008
【図８】
0004246877.tif 000009
【図９】
0004246877.tif 000010
【図１０】
0004246877.tif 000011
【図１１】
0004246877.tif 000012
【図１２】
0004246877.tif 000013